(57)【要約】【課題】  電力需要家の操業によるフリッカと電力需要家に起因しない電圧変動とを判別する。【解決手段】  所定の周期ごとに入力される、電力系統の電圧変動によって発生する電灯照明のちらつきの度合いを示すフリッカ評価値を記憶する記憶部と、前記記憶部に記憶されている所定の期間分の前記フリッカ評価値から求められるフリッカ判定値に基づいて、電力需要家に起因しない前記電圧変動が発生した期間を除いて前記ちらつきが発生したか否かを判定する判定部と、前記判定部が、前記ちらつきが発生したと判定した場合に、警報情報を出力する警報出力部と、を有する。【選択図】  図１
2011182556.tif 000002
【特許請求の範囲】
【請求項１】
所定の周期ごとに入力される、電力系統の電圧変動によって発生する電灯照明のちらつきの度合いを示すフリッカ評価値を記憶する記憶部と、
前記記憶部に記憶されている所定の期間分の前記フリッカ評価値から求められるフリッカ判定値に基づいて、電力需要家に起因しない前記電圧変動が発生した期間を除いて前記ちらつきが発生したか否かを判定する判定部と、
前記判定部が、前記ちらつきが発生したと判定した場合に、警報情報を出力する警報出力部と、
を有することを特徴とするフリッカ監視装置。
【請求項２】
前記記憶部に記憶されている前記所定の期間分の前記フリッカ評価値が入力され、当該フリッカ評価値から１つを選択して前記フリッカ判定値として出力する判定値出力部をさらに有し、
前記判定部は、前記フリッカ判定値として選択された前記フリッカ評価値が前記記憶部に入力された直前の周期と、前記電力需要家に起因しない前記電圧変動が発生した期間とが重複せず、かつ、前記フリッカ判定値が所定の基準値を超える場合に、前記ちらつきが発生したと判定することを特徴とする請求項１に記載のフリッカ監視装置。
【請求項３】
前記記憶部に記憶されている前記所定の期間分の前記フリッカ評価値のうち、前記電力需要家に起因しない前記電圧変動が発生した期間と重複しない期間分のフリッカ評価値が入力され、当該フリッカ評価値から前記フリッカ判定値を求めて出力する判定値出力部をさらに有し、
前記判定部は、前記フリッカ判定値が所定の基準値を超える場合に、前記ちらつきが発生したと判定することを特徴とする請求項１に記載のフリッカ監視装置。
【請求項４】
前記所定の周期ごとに入力される前記フリッカ評価値のうち、入力される直前の周期が前記電力需要家に起因しない前記電圧変動が発生した期間と重複しないフリッカ評価値を選択して、前記記憶部に記憶させる選択部と、
前記記憶部に記憶されている前記所定の期間分の前記フリッカ評価値が入力され、当該フリッカ評価値から前記フリッカ判定値を求めて出力する判定値出力部と、
をさらに有し、
前記判定部は、前記フリッカ判定値が所定の基準値を超える場合に、前記ちらつきが発生したと判定することを特徴とする請求項１に記載のフリッカ監視装置。
【請求項５】
前記フリッカ判定値は、前記判定値出力部に入力された前記フリッカ評価値のうち、大きい方から所定の順位のフリッカ評価値であることを特徴とする請求項２ないし請求項４の何れかに記載のフリッカ監視装置。
【請求項６】
前記判定部が、前記ちらつきが発生したと判定した場合に、前記警報情報を記録する記録部をさらに有することを特徴とする請求項１ないし請求項５の何れかに記載のフリッカ監視装置。
【請求項７】
前記記録部に記録されている前記警報情報の出力回数が所定の基準回数に達した場合に、前記ちらつきの発生源となっている回線を遮断するための遮断指令信号を出力する遮断指令出力部をさらに有することを特徴とする請求項６に記載のフリッカ監視装置。
【請求項８】
前記電力需要家に起因しない前記電圧変動が発生した期間は、前記電力系統の地域に落雷が発生した期間、前記電力系統の遮断器の何れかが遮断状態であった期間、もしくは前記電力系統の系統切り替えが行われた期間、またはそれらの組み合わせであることを特徴とする請求項１ないし請求項７の何れかに記載のフリッカ監視装置。
【請求項９】
請求項８に記載のフリッカ監視装置と、
前記フリッカ評価値を前記所定の周期ごとに出力するフリッカ測定器と、
前記電力系統の地域に発生する落雷を検知する雷検知器と、
前記電力系統の前記遮断器の動作を監視する遮断器監視装置と、
前記系統切り替えを含む前記電力系統の制御を行う電力系統制御装置と、
を備えることを特徴とするフリッカ監視システム。
【請求項１０】
電力系統の電圧変動によって発生する電灯照明のちらつきの度合いを示すフリッカ評価値が所定の周期ごとに入力されるコンピュータに、
前記フリッカ評価値の所定の期間分から求められるフリッカ判定値に基づいて、電力需要家に起因しない前記電圧変動が発生した期間を除いて前記ちらつきが発生したか否かを判定する機能と、
前記ちらつきが発生したと判定した場合に、警報情報を出力する機能と、
を実現させるためのプログラム。
【請求項１１】
所定の周期ごとに入力される、電力系統の電圧変動によって発生する電灯照明のちらつきの度合いを示すフリッカ評価値の所定の期間分から求められるフリッカ判定値に基づいて、電力需要家に起因しない前記電圧変動が発生した期間を除いて前記ちらつきが発生したか否かを判定することを特徴とするフリッカの判定方法。
【発明の詳細な説明】
【技術分野】
【０００１】
本発明は、フリッカ監視装置、フリッカ監視システム、プログラム、およびフリッカの判定方法に関する。
【背景技術】
【０００２】
鉄鋼用電気（アーク）炉や電気溶接機など、瞬間的に大電力を消費する電気機器は、電力を供給している電力系統に急激な電圧変動を引き起こし、当該電圧変動によって、フリッカと呼ばれる電灯照明のちらつきを発生させる場合がある。また、フリッカの度合いが大きくなると、他の電力需要家（一般需要家）に不快感を与えることとなる。
【０００３】
したがって、電力品質を維持確保するため、フリッカが予め設定された許容値以下に収まっているか否かを監視し、許容値を超えるフリッカが発生する場合には、適宜対策を行う必要がある。例えば、上記の電気炉などを設置している電力需要家に対して、許容値を超えるフリッカが発生したことを報知し、必要な対策を促すこととなる。
【０００４】
ところで、フリッカによる不快感は、光刺激に対する脳の生理反応であるため、電圧変動の振幅に対応する当該光刺激の明るさの変化量だけでなく、その周波数成分によっても異なる。そのため、フリッカの監視には、脳の生理反応を考慮したフリッカ評価値を用いる必要がある。
【０００５】
例えば、特許文献１では、日本電熱協会（当時）が定めたフリッカ評価値ΔＶ１０を用いて、フリッカの発生量をフィーダごとに定量的に把握することができるフリッカの測定方法が開示されている。なお、当該ΔＶ１０は、日本国内において、フリッカ評価値として広く用いられている。一方、フリッカ評価値の国際規格としては、ＩＥＣ６１０００−４−１５規格の短時間フリッカ値Ｐｓｔや長時間フリッカ値Ｐｌｔなどが一般に知られている。
【０００６】
このようにして、脳の生理反応を考慮したフリッカ評価値を用いてフリッカを監視することによって、電力品質を維持確保することができる。
【先行技術文献】
【特許文献】
【０００７】
【特許文献１】特開平６−２８４５７９号公報
【発明の概要】
【発明が解決しようとする課題】
【０００８】
しかしながら、電力系統の電圧変動は、上記の電気炉などの操業以外の原因によっても起こり得る。例えば、電力系統に短絡事故や地絡事故などの系統事故が発生した場合には、当該系統事故自体やその直後の遮断器による電線路の遮断などによって、急激な電圧変動が起こり得る。また、電力系統の地域に発生する落雷や電力系統の系統切り替えなども、急激な電圧変動の原因となり得る。
【０００９】
そのため、上記のようなフリッカ評価値を用いる一般的なフリッカの測定のみによっては、電力需要家の電気炉などの操業によってフリッカが発生しているのか、系統事故などの電力需要家に起因しない電圧変動が発生しているのかを判別することができない。
【課題を解決するための手段】
【００１０】
前述した課題を解決する主たる本発明は、所定の周期ごとに入力される、電力系統の電圧変動によって発生する電灯照明のちらつきの度合いを示すフリッカ評価値を記憶する記憶部と、前記記憶部に記憶されている所定の期間分の前記フリッカ評価値から求められるフリッカ判定値に基づいて、電力需要家に起因しない前記電圧変動が発生した期間を除いて前記ちらつきが発生したか否かを判定する判定部と、前記判定部が、前記ちらつきが発生したと判定した場合に、警報情報を出力する警報出力部と、を有することを特徴とするフリッカ監視装置である。
【００１１】
本発明の他の特徴については、添付図面及び本明細書の記載により明らかとなる。
【発明の効果】
【００１２】
本発明によれば、電力需要家の操業によるフリッカと電力需要家に起因しない電圧変動とを判別することができる。
【図面の簡単な説明】
【００１３】
【図１】本発明の第１実施形態におけるフリッカ監視装置の構成を示すブロック図である。
【図２】本発明の第１ないし第３実施形態におけるフリッカ監視装置を備えたフリッカ監視システム全体の構成の概略を示すブロック図である。
【図３】本発明の第１および第３実施形態における判定値出力部１２の機能をコンピュータに実現させるためのプログラムの動作を説明するフローチャートである。
【図４】本発明の第１実施形態における判定部１３および警報出力部１５の機能をコンピュータに実現させるためのプログラムの動作を説明するフローチャートである。
【図５】本発明の第２実施形態におけるフリッカ監視装置の構成を示すブロック図である。
【図６】本発明の第２実施形態における判定値出力部１２の機能をコンピュータに実現させるためのプログラムの動作を説明するフローチャートである。
【図７】本発明の第２および第３実施形態における判定部１３および警報出力部１５の機能をコンピュータに実現させるためのプログラムの動作を説明するフローチャートである。
【図８】本発明の第３実施形態におけるフリッカ監視装置の構成を示すブロック図である。
【図９】本発明の第３実施形態における選択部１７の機能をコンピュータに実現させるためのプログラムの動作を説明するフローチャートである。
【図１０】フリッカ監視装置の他の構成例を示すブロック図である。
【発明を実施するための形態】
【００１４】
本明細書および添付図面の記載により、少なくとも以下の事項が明らかとなる。
【００１５】
＝＝＝フリッカ監視システム全体の構成の概略＝＝＝
以下、図２を参照して、後述する本発明の第１ないし第３実施形態におけるフリッカ監視装置を備えたフリッカ監視システム全体の構成の概略について説明する。
【００１６】
図２に示されているフリッカ監視システムは、電力需要家の操業によるフリッカを監視するためのシステムであり、フリッカ監視装置１以外に、フリッカ測定器２、雷検知器３、遮断器監視装置４、および電力系統制御装置５を含んで構成されている。また、フリッカ監視装置１、フリッカ測定器２、雷検知器３、遮断器監視装置４、および電力系統制御装置５は、公衆交換電話網、移動体通信網、およびインターネットなどの公衆通信網やＬＡＮ（Local Area Network：ローカル・エリア・ネットワーク）を含む通信網９を介して互いに接続されている。なお、フリッカ監視装置１の構成についての詳細な説明は後述する。
【００１７】
＝＝＝フリッカ監視システム全体の動作の概略＝＝＝
次に、フリッカ監視システム全体の動作の概略について説明する。なお、以下においては、フリッカ評価値の一例として、ΔＶ１０を用いる場合について説明する。
【００１８】
フリッカ測定器２は、電力系統の電圧変動を測定し、所定の周期ごとにフリッカ評価値ΔＶ１０を算出して出力する。ここで、フリッカ評価値ΔＶ１０は、当該電圧変動によって発生するフリッカの度合いを示し、
ΔＶ１０＝√［Σ（ａｎ・ΔＶｎ）２］
で与えられる。
【００１９】
なお、当該式において「Σ」は、ｎ＝１からｎ＝∞までの無限級数を表す。また、一例として、所定の周期を１分とすると、ΔＶｎは、電圧変動を１分間について周波数分析して得られる変動周波数ｆｎに対応する成分の振動幅（振幅の２倍）である。さらに、ａｎは、変動周波数ｆｎに対応するちらつき視感度係数であり、変動周波数ｆｎで振動幅１の正弦波電圧変動によって発生する１００Ｖ、６０Ｗの白熱電灯のちらつきと同じちらつき感を与える、変動周波数１０Ｈｚの正弦波電圧変動の振動幅を示している。
【００２０】
雷検知器３は、電力系統の地域に発生する落雷を検知し、落雷検知情報ＬＤを出力する。また、雷検知器３としては、例えばＬＬＳ（Lightning Location System：落雷位置標定システム）が用いられる。
【００２１】
遮断器監視装置４は、電力系統に設置された１つ以上の遮断器の動作を監視する。また、遮断器監視装置４は、当該遮断器の何れかが開放され、遮断状態となっている間、遮断器開放情報ＢＯを出力する。
【００２２】
電力系統制御装置５は、他の構成要素から出力される情報を適宜取得し、当該情報に応じて自動的に、または操作者の操作に従って、系統切り替えを含む電力系統の制御を行う。また、電力系統制御装置５は、系統切り替えが行われている間、系統切り替え情報ＳＳを出力する。
【００２３】
フリッカ監視装置１は、フリッカ評価値ΔＶ１０、落雷検知情報ＬＤ、遮断器開放情報ＢＯ、および系統切り替え情報ＳＳを適宜取得し、これらの情報に基づいてフリッカが発生したか否かを判定する。また、フリッカ監視装置１は、フリッカが発生したと判定した場合には、警報情報ＡＬを出力する。なお、フリッカ監視装置１の動作についての詳細な説明は後述する。
【００２４】
＜第１実施形態＞
＝＝＝フリッカ監視装置の構成＝＝＝
以下、図１を参照して、本発明の第１の実施形態におけるフリッカ監視装置の構成について説明する。
【００２５】
図２に示されているフリッカ監視装置１ａは、記憶部１１、１４、判定値出力部１２、判定部１３、警報出力部１５、および記録部１６を含んで構成されている。
【００２６】
記憶部１１には、フリッカ測定器２からフリッカ評価値ΔＶ１０が入力され、時刻情報ｎと対応付けられた時系列データとして記憶されている。また、記憶部１４には、雷検知器３、遮断器監視装置４、および電力系統制御装置５から、それぞれ落雷検知情報ＬＤ、遮断器開放情報ＢＯ、および系統切り替え情報ＳＳが入力され、時刻情報ｎと対応付けられた時系列データとして記憶されている。
【００２７】
判定値出力部１２には、フリッカ評価値（の時系列データ）ΔＶ１０［ｎ］が読み出され、判定値出力部１２からは、フリッカ判定値Ｖｍ４が出力されている。また、判定部１３には、落雷検知情報ＬＤ［ｎ］、遮断器開放情報ＢＯ［ｎ］、および系統切り替え情報ＳＳ［ｎ］が読み出されるとともに、フリッカ判定値Ｖｍ４が入力されている。さらに、判定部１３から出力される判定結果フラグＦＬは、警報出力部１５に入力されている。そして、警報出力部１５から出力される警報情報ＡＬは、当該フリッカ監視装置１ａから出力されるとともに、記録部１６に入力されている。
【００２８】
＝＝＝フリッカ監視装置の動作＝＝＝
次に、図３および図４を適宜参照して、本実施形態におけるフリッカ監視装置の動作について説明する。
【００２９】
前述したように、フリッカ測定器２は、例えば１分ごとにフリッカ評価値ΔＶ１０を出力し、記憶部１１は、当該フリッカ評価値ΔＶ１０を時刻情報ｎと対応付けて記憶する。また、雷検知器３、遮断器監視装置４、および電力系統制御装置５は、それぞれ落雷検知情報ＬＤ、遮断器開放情報ＢＯ、および系統切り替え情報ＳＳを適宜出力し、記憶部１４は、これらの情報を時刻情報ｎと対応付けて記憶する。
【００３０】
フリッカ監視装置１ａのうち、判定値出力部１２、判定部１３、および警報出力部１５の機能は、例えば、記憶部１１、１４、および記録部１８を備えるコンピュータによって実現することができる。
【００３１】
図３は、判定値出力部１２に相当する機能をコンピュータに実現させるためのプログラムの動作を示している。なお、当該プログラムの処理は、記憶部１１にフリッカ評価値ΔＶ１０が入力される度に、すなわち、例えば１分ごとに行われる。
【００３２】
プログラムの処理が開始されると（Ｓ１１）、まず、Ｓ１２の処理を所定の期間分のフリッカ評価値ΔＶ１０［ｎ］に対して行う（ループ処理）。ここで、一例として、所定の期間を１時間とすると、連続する６０標本点分のフリッカ評価値ΔＶ１０［ｎ］に対して当該ループ処理を行うこととなる。したがって、最後に（当該処理の開始直前に）記憶された時系列データをΔＶ１０［ｎ０］と表すこととすると、Ｓ１２のループ処理によって、ΔＶ１０［ｎ０−５９］からΔＶ１０［ｎ０］までの６０個の時系列データが、記憶部１１から読み出される。
【００３３】
次に、読み出された６０個のフリッカ評価値ΔＶ１０［ｎ］から１つを選択して、フリッカ判定値Ｖｍ４として出力し（Ｓ１３）、処理を終了する（Ｓ１４）。一例として、当該６０個のフリッカ評価値ΔＶ１０［ｎ］のうち、大きい方から４番目のフリッカ評価値（以下、４番目最大値と称する）がフリッカ判定値Ｖｍ４として選択される。なお、当該選択されたフリッカ評価値の時刻情報をｋとすると、Ｖｍ４＝ΔＶ１０［ｋ］と表すことができる。
【００３４】
図４は、判定部１３および警報出力部１５に相当する機能をコンピュータに実現させるためのプログラムの動作を示している。なお、当該プログラムの処理は、判定値出力部１２からフリッカ判定値Ｖｍ４が出力される度に行われる。
【００３５】
プログラムの処理が開始されると（Ｓ２１）、まず、判定値出力部１２からフリッカ判定値Ｖｍ４、すなわち、選択されたフリッカ評価値ΔＶ１０［ｋ］が入力される（Ｓ２２）。
【００３６】
次に、フリッカ評価値ΔＶ１０［ｋ］の測定期間（記憶部１１に入力された直前の周期）と、系統事故などの電力需要家に起因しない電圧変動が発生した期間とが重複しているか否かを判定する。具体的には、記憶部１４から、フリッカ評価値ΔＶ１０［ｋ］と同じ時刻情報ｋを有する落雷検知情報ＬＤ［ｋ］、遮断器開放情報ＢＯ［ｋ］、および系統切り替え情報ＳＳ［ｋ］を読み出し（Ｓ２３）、何れかの情報が存在するか否かを判定する（Ｓ２４）。
【００３７】
Ｓ２４において、いずれの情報も存在しない場合（Ｓ２４：ＮＯ）には、上記の両期間が重複していないと判定しつつ、次に、フリッカ判定値Ｖｍ４を所定の基準値Ｖｔｈと比較する（Ｓ２５）。また、Ｓ２５において、フリッカ判定値Ｖｍ４が基準値Ｖｔｈを超える場合（Ｓ２５：ＹＥＳ）には、電力需要家の操業によるフリッカが発生したと判定する。この場合、判定部１３が判定結果フラグＦＬ＝１を出力するとともに、警報出力部１５が警報情報ＡＬを出力し（Ｓ２６）、処理を終了する（Ｓ２８）。
【００３８】
一方、Ｓ２４において、何れかの情報が存在する場合（Ｓ２４：ＹＥＳ）、または、Ｓ２５において、フリッカ判定値Ｖｍ４が基準値Ｖｔｈ以下の場合（Ｓ２５：ＮＯ）には、電力需要家の操業によるフリッカが発生しなかったと判定する。この場合、判定部１３が判定結果フラグＦＬ＝０を出力し（Ｓ２７）、警報出力部１５が警報情報ＡＬを出力することなく処理を終了する（Ｓ２８）。
【００３９】
記録部１６は、判定部１３が判定結果フラグＦＬ＝１を出力する場合に、警報出力部１５が出力する警報情報ＡＬを時刻情報ｎと対応付けて記録する。なお、記録部１６は、警報情報ＡＬとともに、基準値Ｖｔｈを超えたフリッカ判定値Ｖｍ４や、当該フリッカ判定値Ｖｍ４が選択された６０個のフリッカ評価値ΔＶ１０［ｎ］などを適宜記録してもよい。
【００４０】
このようにして、本実施形態のフリッカ監視装置１ａは、記憶部１１から所定の期間（１時間）分のフリッカ評価値ΔＶ１０［ｎ］を読み出し、１つ（４番目最大値）を選択してフリッカ判定値Ｖｍ４としている。また、フリッカ判定値Ｖｍ４として選択されたフリッカ評価値ΔＶ１０［ｋ］の測定期間と、電力需要家に起因しない電圧変動が発生した期間とが重複せず、かつ、フリッカ判定値Ｖｍ４が基準値Ｖｔｈを超える場合にのみ、フリッカが発生したと判定している。したがって、電力需要家に起因しない電圧変動が発生した期間を除いて、電力需要家の操業によるフリッカのみに対して警報情報ＡＬを出力することができる。
【００４１】
なお、本実施形態では、落雷検知情報ＬＤ、遮断器開放情報ＢＯ、および系統切り替え情報ＳＳを用いて、電力需要家に起因しない電圧変動が発生した期間を把握している。これらの情報は、電力系統の信頼性を確保するために従来から収集、監視、記録などされており、既存の設備を用いることができる。
【００４２】
＜第２実施形態＞
＝＝＝フリッカ監視装置の構成＝＝＝
以下、図５を参照して、本発明の第２の実施形態におけるフリッカ監視装置の構成について説明する。
【００４３】
図５に示されているフリッカ監視装置１ｂは、第１実施形態のフリッカ監視装置１ａと同様に、記憶部１１、１４、判定値出力部１２、判定部１３、警報出力部１５、および記録部１６を含んで構成されている。また、記憶部１１には、フリッカ評価値ΔＶ１０が時刻情報ｎと対応付けられた時系列データとして記憶されている。さらに、記憶部１４には、落雷検知情報ＬＤ、遮断器開放情報ＢＯ、および系統切り替え情報ＳＳが、それぞれ時刻情報ｎと対応付けられた時系列データとして記憶されている。
【００４４】
判定値出力部１２には、フリッカ評価値ΔＶ１０［ｎ］、落雷検知情報ＬＤ［ｎ］、遮断器開放情報ＢＯ［ｎ］、および系統切り替え情報ＳＳ［ｎ］が読み出され、判定値出力部１２からは、フリッカ判定値Ｖｍ４が出力されている。また、判定部１３には、フリッカ判定値Ｖｍ４が入力され、判定部１３から出力される判定結果フラグＦＬは、警報出力部１５に入力されている。そして、警報出力部１５から出力される警報情報ＡＬは、当該フリッカ監視装置１ｂから出力されるとともに、記録部１６に入力されている。
【００４５】
＝＝＝フリッカ監視装置の動作＝＝＝
次に、図６および図７を適宜参照して、本実施形態におけるフリッカ監視装置の動作について説明する。
【００４６】
第１実施形態のフリッカ監視装置１ａと同様に、記憶部１１は、フリッカ評価値ΔＶ１０を時刻情報ｎと対応付けて記憶し、記憶部１４は、落雷検知情報ＬＤ、遮断器開放情報ＢＯ、および系統切り替え情報ＳＳを時刻情報ｎと対応付けて記憶する。また、フリッカ監視装置１ｂのうち、判定値出力部１２、判定部１３、および警報出力部１５の機能は、例えば、記憶部１１、１４、および記録部１８を備えるコンピュータによって実現することができる。
【００４７】
図６は、判定値出力部１２に相当する機能をコンピュータに実現させるためのプログラムの動作を示している。なお、当該プログラムの処理は、記憶部１１にフリッカ評価値ΔＶ１０が入力される度に、すなわち、例えば１分ごとに行われる。
【００４８】
プログラムの処理が開始されると（Ｓ３１）、まず、Ｓ３２からＳ３３またはＳ３４までの処理を所定の期間分のフリッカ評価値ΔＶ１０［ｎ］に対して行う（ループ処理）。ここで、本実施形態においても、第１実施形態と同様に、一例として、所定の期間を１時間とし、ΔＶ１０［ｎ０−５９］からΔＶ１０［ｎ０］までの連続する６０標本点分の時系列データに対して当該ループ処理を行うこととする。
【００４９】
ループ処理においては、まず、記憶部１４から、時刻情報ｎを有する落雷検知情報ＬＤ［ｎ］、遮断器開放情報ＢＯ［ｎ］、および系統切り替え情報ＳＳ［ｎ］を読み出し（Ｓ３２）、何れかの情報が存在するか否かを判定する（Ｓ３３）。また、Ｓ３３において、いずれの情報も存在しない場合（Ｓ３３：ＮＯ）には、記憶部１１からフリッカ評価値ΔＶ１０［ｎ］を読み出し（Ｓ３４）、何れかの情報が存在する場合（Ｓ３３：ＹＥＳ）には、フリッカ評価値ΔＶ１０［ｎ］を読み出さない。
【００５０】
したがって、Ｓ３２からＳ３３またはＳ３４までのループ処理を６０個のフリッカ評価値ΔＶ１０［ｎ］に対して行うことによって、電力需要家に起因しない電圧変動が発生した期間と重複しない期間分のフリッカ評価値のみが、記憶部１１から読み出される。そのため、本実施形態では、６０個以下の時系列データが、記憶部１１から読み出されることとなる。
【００５１】
次に、読み出された６０個以下のフリッカ評価値ΔＶ１０［ｎ］から１つを選択して、フリッカ判定値Ｖｍ４として出力し（Ｓ３５）、処理を終了する（Ｓ３６）。一例として、当該６０個以下のフリッカ評価値ΔＶ１０［ｎ］のうちの４番目最大値がフリッカ判定値Ｖｍ４として選択される。
【００５２】
図７は、判定部１３および警報出力部１５に相当する機能をコンピュータに実現させるためのプログラムの動作を示している。なお、当該プログラムの処理は、判定値出力部１２からフリッカ判定値Ｖｍ４が出力される度に行われる。
【００５３】
プログラムの処理が開始されると（Ｓ４１）、まず、判定値出力部１２からフリッカ判定値Ｖｍ４が入力される（Ｓ４２）。
【００５４】
次に、フリッカ判定値Ｖｍ４を所定の基準値Ｖｔｈと比較する（Ｓ４３）。また、Ｓ４３において、フリッカ判定値Ｖｍ４が基準値Ｖｔｈを超える場合（Ｓ４３：ＹＥＳ）には、電力需要家の操業によるフリッカが発生したと判定する。この場合、判定部１３が判定結果フラグＦＬ＝１を出力するとともに、警報出力部１５が警報情報ＡＬを出力し（Ｓ４４）、処理を終了する（Ｓ４６）。
【００５５】
一方、Ｓ４３において、フリッカ判定値Ｖｍ４が基準値Ｖｔｈ以下の場合（Ｓ４３：ＮＯ）には、電力需要家の操業によるフリッカが発生しなかったと判定する。この場合、判定部１３が判定結果フラグＦＬ＝０を出力し（Ｓ４５）、警報出力部１５が警報情報ＡＬを出力することなく処理を終了する（Ｓ４６）。
【００５６】
第１実施形態のフリッカ監視装置１ａと同様に、記録部１６は、判定部１３が判定結果フラグＦＬ＝１を出力する場合に、警報出力部１５が出力する警報情報ＡＬを時刻情報ｎと対応付けて記録する。
【００５７】
このようにして、本実施形態のフリッカ監視装置１ｂは、記憶部１１から所定の期間（１時間）分のフリッカ評価値ΔＶ１０［ｎ］のうち、電力需要家に起因しない電圧変動が発生した期間と重複しない期間分のフリッカ評価値のみを読み出す。したがって、当該読み出されたフリッカ評価値から求められるフリッカ判定値Ｖｍ４は、電力需要家に起因しない電圧変動が発生した期間が予め除かれている。そのため、フリッカ判定値Ｖｍ４が基準値Ｖｔｈを超える場合に、電力需要家の操業によるフリッカが発生したと判定し、警報情報ＡＬを出力することができる。
【００５８】
＜第３実施形態＞
＝＝＝フリッカ監視装置の構成＝＝＝
以下、図８を参照して、本発明の第３の実施形態におけるフリッカ監視装置の構成について説明する。
【００５９】
図８に示されているフリッカ監視装置１ｃは、記憶部１１、判定値出力部１２、判定部１３、警報出力部１５、記録部１６、および選択部１７を含んで構成されている。
【００６０】
選択部１７には、フリッカ測定器２、雷検知器３、遮断器監視装置４、および電力系統制御装置５から、それぞれフリッカ評価値ΔＶ１０、落雷検知情報ＬＤ、遮断器開放情報ＢＯ、および系統切り替え情報ＳＳが入力されている。また、記憶部１１には、選択部１７からフリッカ評価値ΔＶ１０が入力され、時刻情報ｎと対応付けられた時系列データとして記憶されている。
【００６１】
判定値出力部１２には、フリッカ評価値ΔＶ１０［ｎ］が読み出され、判定値出力部１２からは、フリッカ判定値Ｖｍ４が出力されている。また、判定部１３には、フリッカ判定値Ｖｍ４が入力され、判定部１３から出力される判定結果フラグＦＬは、警報出力部１５に入力されている。そして、警報出力部１５から出力される警報情報ＡＬは、当該フリッカ監視装置１ｃから出力されるとともに、記録部１６に入力されている。
【００６２】
＝＝＝フリッカ監視装置の動作＝＝＝
次に、図９を適宜参照して、本実施形態におけるフリッカ監視装置の動作について説明する。  
フリッカ監視装置１ｃのうち、選択部１７、判定値出力部１２、判定部１３、および警報出力部１５の機能は、例えば、記憶部１１および記録部１８を備えるコンピュータによって実現することができる。
【００６３】
図９は、選択部１７に相当する機能をコンピュータに実現させるためのプログラムの動作を示している。なお、当該プログラムの処理は、選択部１７にフリッカ評価値ΔＶ１０が入力される度に、すなわち、例えば１分ごとに行われる。
【００６４】
プログラムの処理が開始されると（Ｓ５１）、まず、雷検知器３、遮断器監視装置４、および電力系統制御装置５から、それぞれ落雷検知情報ＬＤ、遮断器開放情報ＢＯ、および系統切り替え情報ＳＳを適宜取得し（Ｓ５２）、何れかの情報が存在するか否かを判定する（Ｓ５３）。
【００６５】
Ｓ５３において、いずれの情報も存在しない場合（Ｓ５３：ＮＯ）には、フリッカ測定器２からフリッカ評価値ΔＶ１０を取得する（Ｓ５４）。そして、当該フリッカ評価値ΔＶ１０を時刻情報ｎと対応付けて、記憶部１１に記憶させ（Ｓ５５）、処理を終了する（Ｓ５６）。一方、Ｓ５３において、何れかの情報が存在する場合（Ｓ５３：ＹＥＳ）には、フリッカ評価値ΔＶ１０を記憶部１１に記憶させることなく処理を終了する（Ｓ５６）。したがって、記憶部１１には、測定期間（選択部１７に入力される直前の周期）が電力需要家に起因しない電圧変動が発生した期間と重複しないフリッカ評価値のみが記憶される。
【００６６】
本実施形態における判定値出力部１２の動作は、図３に示した、第１実施形態の判定値出力部１２の動作と同様である。また、本実施形態における判定部１３および警報出力部１５の動作は、図７に示した、第２実施形態の判定部１３および警報出力部１５の動作と同様である。そして、本実施形態における記録部１８の動作は、第１および第２実施形態の記録部１８の動作と同様である。
【００６７】
このようにして、本実施形態のフリッカ監視装置１ｃは、フリッカ測定器２から入力されるフリッカ評価値ΔＶ１０のうち、測定期間が電力需要家に起因しない電圧変動が発生した期間と重複しないフリッカ評価値のみを記憶部１１に記憶する。したがって、記憶部１１から読み出される所定の期間（１時間）分のフリッカ評価値ΔＶ１０［ｎ］、および当該読み出されたフリッカ評価値から求められるフリッカ判定値Ｖｍ４は、電力需要家に起因しない電圧変動が発生した期間が予め除かれている。そのため、第２実施形態と同様に、フリッカ判定値Ｖｍ４が基準値Ｖｔｈを超える場合に、電力需要家の操業によるフリッカが発生したと判定し、警報情報ＡＬを出力することができる。
【００６８】
なお、選択部１７は、落雷検知情報ＬＤ、遮断器開放情報ＢＯ、および系統切り替え情報ＳＳの何れかが存在する場合に、フリッカ判定値Ｖｍ４に影響を与えないような値としてフリッカ評価値ΔＶ１０を記憶部１１に記憶させる構成としてもよい。例えば、第１および第２実施形態と同様に、フリッカ判定値Ｖｍ４として４番目最大値が選択される場合には、ΔＶ１０＝０として記憶部１１に記憶させてもよい。
【００６９】
＝＝＝フリッカ監視装置の他の構成例＝＝＝
本発明のフリッカ監視システムは、例えば図１０に示すように、フリッカ監視装置に遮断指令出力部をさらに備えた構成としてもよい。なお、図１０に示されているフリッカ監視装置１ｄには、第３実施形態のフリッカ監視装置１ｃに対して、遮断指令出力部１８が追加されているが、第１および第２実施形態のフリッカ監視装置に対しても、同様に追加することができる。
【００７０】
遮断指令出力部１８は、記録部１６に記録されている警報情報ＡＬの出力回数が所定の基準回数に達した場合に、フリッカの発生源となっている回線の遮断器６を開放するための遮断指令情報ＯＰを出力する。なお、遮断指令情報ＯＰを遮断器監視装置４に入力し、遮断器６が遮断器監視装置４の制御によって開放される構成としてもよい。
【００７１】
このようにして、フリッカ監視装置１ｄは、電力需要家に対してフリッカの発生を報知し、必要な対策を促すだけでなく、フリッカの発生が抑制されない場合には、電力系統からフリッカの発生原因を除去し、電力品質を維持確保することができる。
【００７２】
前述したように、フリッカ監視装置１ａないし１ｃにおいて、フリッカ評価値ΔＶ１０を所定の周期（１分）ごとの時系列データとして記憶部１１に記憶し、当該記憶されている所定の期間（１時間）分のフリッカ評価値ΔＶ１０［ｎ］から求められるフリッカ判定値Ｖｍ４に基づいて、系統事故などの電力需要家に起因しない電圧変動が発生した期間を除いてフリッカが発生したか否かを判定することによって、電力需要家の操業によるフリッカと電力需要家に起因しない電圧変動とを判別し、電力需要家の操業によるフリッカのみに対して警報情報ＡＬを出力することができる。
【００７３】
また、フリッカ監視装置１ａにおいて、記憶部１１から所定の期間分のフリッカ評価値ΔＶ１０［ｎ］を読み出して、１つ（４番目最大値）をフリッカ判定値Ｖｍ４として選択し、当該フリッカ判定値Ｖｍ４として選択されたフリッカ評価値ΔＶ１０［ｋ］の測定期間と、電力需要家に起因しない電圧変動が発生した期間とが重複せず、かつ、フリッカ判定値Ｖｍ４が基準値Ｖｔｈを超える場合にのみ、フリッカが発生したと判定することによって、電力需要家に起因しない電圧変動が発生した期間を除いて、電力需要家の操業によるフリッカのみに対して警報情報ＡＬを出力することができる。
【００７４】
また、フリッカ監視装置１ｂにおいて、記憶部１１から所定の期間分のフリッカ評価値ΔＶ１０［ｎ］のうち、電力需要家に起因しない電圧変動が発生した期間と重複しない期間分のフリッカ評価値のみを読み出して、当該読み出されたフリッカ評価値からフリッカ判定値Ｖｍ４を求めることによって、電力需要家に起因しない電圧変動が発生した期間が予め除かれ、フリッカ判定値Ｖｍ４が基準値Ｖｔｈを超える場合に、電力需要家の操業によるフリッカが発生したと判定することができる。
【００７５】
また、フリッカ監視装置１ｃにおいて、フリッカ測定器２から入力されるフリッカ評価値ΔＶ１０のうち、測定期間が電力需要家に起因しない電圧変動が発生した期間と重複しないフリッカ評価値のみを記憶部１１に記憶することによって、記憶部１１から読み出される所定の期間分のフリッカ評価値ΔＶ１０［ｎ］、および当該読み出されたフリッカ評価値から求められるフリッカ判定値Ｖｍ４は、電力需要家に起因しない電圧変動が発生した期間が予め除かれ、フリッカ判定値Ｖｍ４が基準値Ｖｔｈを超える場合に、電力需要家の操業によるフリッカが発生したと判定することができる。
【００７６】
また、記憶部１１から読み出された所定の期間分のフリッカ評価値ΔＶ１０［ｎ］のうちの４番目最大値をフリッカ判定値Ｖｍ４として選択することによって、フリッカ監視装置１ａないし１ｃのいずれにおいても、共通に用いることができる。さらに、６０標本点分のフリッカ評価値ΔＶ１０［ｎ］のうちの４番目最大値が基準値Ｖｔｈ以下の場合には、約９３％の標本点について基準値Ｖｔｈを超えていないため、電力需要家の操業によるフリッカが発生しなかったと判定することによって、ノイズなどの影響による誤判定を抑制することができる。
【００７７】
また、電力需要家の操業によるフリッカが発生したと判定した場合に、出力される警報情報ＡＬを時刻情報ｎと対応付けて記録したり、警報情報ＡＬとともに、基準値Ｖｔｈを超えたフリッカ判定値Ｖｍ４や、当該フリッカ判定値Ｖｍ４が選択された６０標本点分のフリッカ評価値ΔＶ１０［ｎ］などを適宜記録したりすることによって、これらの記録データを用いて、フリッカの発生状況を詳細に分析することができる。
【００７８】
さらに、警報情報ＡＬの出力回数が所定の基準回数に達した場合に、フリッカの発生源となっている回線の遮断器６を開放することによって、フリッカの発生が抑制されない場合には、電力系統からフリッカの発生原因を除去し、電力品質を維持確保することができる。
【００７９】
また、落雷検知情報ＬＤ、遮断器開放情報ＢＯ、および系統切り替え情報ＳＳなどを用いて、電力需要家に起因しない電圧変動が発生した期間を把握することによって、既存の設備を用いて、フリッカの発生を判定する精度を向上させることができる。
【００８０】
また、図２に示したフリッカ監視システムにおいて、フリッカ監視装置１が、フリッカ評価値ΔＶ１０、落雷検知情報ＬＤ、遮断器開放情報ＢＯ、および系統切り替え情報ＳＳを適宜取得し、これらの情報に基づいてフリッカが発生したか否かを判定することによって、電力需要家の操業によるフリッカを監視し、鉄鋼用電気炉や電気溶接機などを設置している電力需要家に対して、許容値を超えるフリッカが発生したことを報知し、必要な対策を促し、電力品質を維持確保することができる。
【００８１】
また、フリッカ監視装置１の判定値出力部１２、判定部１３、および警報出力部１５に相当する機能をコンピュータに実現させるためのプログラムにおいて、所定の周期（１分）ごとの時系列データであるフリッカ評価値ΔＶ１０［ｎ］の所定の期間（１時間）分から求められるフリッカ判定値Ｖｍ４に基づいて、系統事故などの電力需要家に起因しない電圧変動が発生した期間を除いてフリッカが発生したか否かを判定することによって、電力需要家の操業によるフリッカと電力需要家に起因しない電圧変動とを判別し、電力需要家の操業によるフリッカのみに対して警報情報ＡＬを出力することができる。
【００８２】
また、所定の周期（１分）ごとの時系列データであるフリッカ評価値ΔＶ１０［ｎ］の所定の期間（１時間）分から求められるフリッカ判定値Ｖｍ４に基づいて、系統事故などの電力需要家に起因しない電圧変動が発生した期間を除いてフリッカが発生したか否かを判定することによって、電力需要家の操業によるフリッカと電力需要家に起因しない電圧変動とを判別することができる。
【００８３】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００８４】
上記実施形態では、判定値算出部１２は、記憶部１１から読み出されたフリッカ評価値のうちの１つをフリッカ判定値として選択しているが、これに限定されるものではない。上記第２および第３実施形態において、判定部１３は、フリッカ判定値として選択されたフリッカ評価値の時刻情報を用いないため、判定値算出部１２は、読み出されたフリッカ評価値に対する演算を行い、フリッカ判定値を算出してもよい。例えば、読み出されたフリッカ評価値のうち、大きい方から所定の順位までのフリッカ評価値の平均値をフリッカ判定値として用いてもよい。
【００８５】
上記実施形態では、電力系統の電圧変動によって発生するフリッカの度合いを示すフリッカ評価値としてΔＶ１０が用いられているが、これに限定されるものではない。例えば、上記第２および第３実施形態において、ＩＥＣ６１０００−４−１５規格の短時間フリッカ値Ｐｓｔをフリッカ評価値として用いてもよい。この場合、ΔＶ１０を用いた場合と同様に、ＬＤ＝１、ＢＯ＝１、またはＳＳ＝１であった期間の短時間フリッカ値Ｐｓｔを除いて、
Ｐｌｔ＝３√［（１／Ｎ）・Σ（Ｐｓｔ）３］
と算出される長時間フリッカ値Ｐｌｔをフリッカ判定値として用いることができる。
【００８６】
なお、当該式において「３√」は、立方根を表し、「Σ」は、ｎ＝１からｎ＝Ｎまでの有限級数を表す。また、Ｎは、長時間フリッカ値Ｐｌｔの測定間隔Ｔｌｏｎｇ（所定の期間）と短時間フリッカ値Ｐｓｔの測定間隔Ｔｓｈｏｒｔ（所定の周期）との比である。一例として、Ｔｌｏｎｇ＝２時間、Ｔｓｈｏｒｔ＝１０分とすると、前述したように、ＬＤ＝１、ＢＯ＝１、またはＳＳ＝１であった期間の短時間フリッカ値Ｐｓｔが除かれるため、Ｎ≦１２となる。
【符号の説明】
【００８７】
１（１ａ〜１ｃ）  フリッカ監視装置
２          フリッカ測定器
３          雷検知器
４          遮断器監視装置
５          電力系統制御装置
６          遮断器
９          通信網
１１、１４  記憶部
１２        判定値出力部
１３        判定部
１５        警報出力部
１６        記録部
１７        選択部
１８        遮断指令出力部
【図１】
2011182556.tif 000003
【図２】
2011182556.tif 000004
【図３】
2011182556.tif 000005
【図４】
2011182556.tif 000006
【図５】
2011182556.tif 000007
【図６】
2011182556.tif 000008
【図７】
2011182556.tif 000009
【図８】
2011182556.tif 000010
【図９】
2011182556.tif 000011
【図１０】
2011182556.tif 000012